(57)【要約】【課題】物品を紐で吊り下げる場合、紐の長さ調整から物品の吊り下げに至るまでの作業が煩雑であると共に、紐の長さの再調整や再利用ができないという不具合があった。【解決手段】互いに回動可能に連結した第１及び第２の調整部材１，２を備えると共に、第１調整部材１に紐Ｓの端部を固定する止着部材８を備え、第１及び第２の調整部材１，２に、回動位置に応じて連通状態と非連通状態とに切り換わる紐Ｓの挿通孔４，１４を設け、挿通孔４，１４を連通状態にして紐Ｓを両調整部材１，２に貫通させると共に、挿通孔４，１４を非連通状態にして紐Ｓの挿通部分を両調整部材１，２間で拘束する長さ調整具Ａとし、紐Ｓの長さ調整を簡単にし、物品の吊り下げ作業、紐Ｓの長さの再調整及び再利用にも容易に対処し得るものとした。【選択図】図１
2007097792.tif 000002
【特許請求の範囲】
【請求項１】
互いに回動可能に連結した第１及び第２の調整部材を備えると共に、第１及び第２の調整部材のいずれか一方に、紐状部材の端部を固定する止着手段を備え、第１及び第２の調整部材に、回動位置に応じて互いに同方向となる連通状態と異方向となる非連通状態とに切り換わる紐状部材の挿通孔を設け、双方の挿通孔を連通状態にして紐状部材を両調整部材に貫通させると共に、双方の挿通孔を非連通状態にして紐状部材の挿通部分を両調整部材間で拘束することを特徴とする紐状部材の長さ調整具。
【請求項２】
止着手段が、調整部材に嵌着して同調整部材との間で紐状部材を挟持する止着部材を備えていることを特徴とする請求項１に記載の紐状部材の長さ調整具。
【請求項３】
第１調整部材が、連結用凸部を備えると共に、第２調整部材が、第１調整部材の連結用凸部を軸回りに回動可能に装着する連結用凹部を備えており、連結用凸部及び連結用凹部に夫々の挿通孔を設けたことを特徴とする請求項１又は２に記載の紐状部材の長さ調整具。
【請求項４】
第１調整部材の連結用凸部と第２調整部材の連結用凹部に、互いに嵌合して両調整部材の連結状態を維持する係合部を設けたことを特徴とする請求項３に記載の紐状部材の長さ調整具。
【請求項５】
第１及び第２の調整部材が、紐状部材の挿通部分を拘束した状態において全体として円板形状を成しており、その円周部に、止着手段からの紐状部材の導出部と、挿通孔の開口部が設けてあることを特徴とする請求項１〜４のいずれか１項に記載の紐状部材の長さ調整具。
【発明の詳細な説明】
【技術分野】
【０００１】
本発明は、例えば、比較的軽量の物品を吊り下げる紐に適用され、その紐の長さを調整するのに用いられる紐状部材の長さ調整具に関するものである。
【背景技術】
【０００２】
紐を用いて物品を吊り下げることはごく一般的な技術であり、例えばＰＯＰ製品、すなわち商品やサービスの宣伝・広告を行って消費者の購買意欲を喚起するための製品においても、宣伝・広告を掲載したボードや商品サンプルといった各種物品を紐で吊り下げるものがあることが周知である。
【発明の開示】
【発明が解決しようとする課題】
【０００３】
しかしながら、上記したようなＰＯＰ製品において、物品を紐で吊り下げるには、紐を切断するなどの長さ調整を行うと共に、他の構造物に設けたフック類や部品に対する紐の結び付け、あるいは紐同士の結び付け行うこととなるので、紐の長さ調整から物品の吊り下げに至るまでの作業が煩雑であると共に、長さ調整の仕方や結び方によっては紐の長さの再調整や再利用ができないという不具合があり、このような不具合を解決することが望まれていた。
【０００４】
本発明は、上記従来の状況に鑑みて成されたもので、紐状部材の長さ調整を簡単に行うことができると共に、物品の吊り下げ作業、紐状部材の長さの再調整及び再利用にも容易に対処することができる紐状部材の長さ調整具を提供することを目的としている。
【課題を解決するための手段】
【０００５】
本発明の紐状部材の長さ調整具は、互いに回動可能に連結した第１及び第２の調整部材を備えると共に、第１及び第２の調整部材のいずれか一方に、紐状部材の端部を固定する止着手段を備え、第１及び第２の調整部材に、回動位置に応じて互いに同方向となる連通状態と異方向となる非連通状態とに切り換わる紐状部材の挿通孔を設け、双方の挿通孔を連通状態にして紐状部材を両調整部材に貫通させると共に、双方の挿通孔を非連通状態にして紐状部材の挿通部分を両調整部材間で拘束する構成としており、上記構成をもって従来の課題を解決するための手段としている。
【０００６】
上記構成において、紐状部材は、止着手段で一端部を調整部材に固定すると共に、両調整部材に貫通させることにより、一端部側にループを形成し、また、両調整部材の挿通孔が連通する状態において両調整部材に対して挿通自在であって、ループから他端部までの長さを調整し得る。この紐状部材には、繊維を撚り合せて成る一般的な紐や、釣糸などを用いることができ、その材質がとくに限定されることはない。
【０００７】
また、本発明の紐状部材の長さ調整具は、より好ましい実施形態として、止着手段が、調整部材に嵌着して同調整部材との間で紐状部材を挟持する止着部材を備えていることを特徴とし、さらに、第１調整部材が、連結用凸部を備えると共に、第２調整部材が、第１調整部材の連結用凸部を軸回りに回動可能に装着する連結用凹部を備えており、連結用凸部及び連結用凹部に夫々の挿通孔を設けたことを特徴とし、さらに、第１調整部材の連結用凸部と第２調整部材の連結用凹部に、互いに嵌合して両調整部材の連結状態を維持する係合部を設けたことを特徴とし、さらに、第１及び第２の調整部材が、紐状部材の挿通部分を拘束した状態において全体として円板形状を成しており、その円周部に、止着手段からの紐状部材の導出部と、挿通孔の開口部が設けてあることを特徴としている。
【発明の効果】
【０００８】
本発明の紐状部材の長さ調整具は、紐状部材の一端部側にループを形成し、第１及び第２の調整部材を互いに回動させるだけで、紐状部材を挿通自在にしたり拘束したりすることができ、ループから他端部までの長さを簡単に調整することができる。
【０００９】
また、紐状部材で物品を吊り下げる際には、紐状部材を結び付ける手間を少なく又は無くすことが可能となり、長さ調整から物品の吊り下げまでに至る作業を容易にすることができ、さらに、紐状部材の長さの再調整や再利用にも容易に対処することができる。
【００１０】
さらに、本発明の紐状部材の長さ調整具は、調整部材に嵌着して同調整部材との間で紐状部材を挟持する止着部材を備えた止着手段を採用することにより、道具類を用いることなく紐状部材の一端部を簡単に固定することができる。
【００１１】
さらに、本発明の紐状部材の長さ調整具は、挿通孔を有する連結用凸部を備えた第１調整部材と、挿通孔を有する連結用凹部を備えた第２調整部材を採用することにより、貫通状態にした紐状部材を両調整部材間の２箇所で挟持することができ、紐状部材の強固な拘束状態を得ることができる。
【００１２】
さらに、本発明の紐状部材の長さ調整具は、第１調整部材の連結用凸部と第２調整部材の連結用凹部に、互いに嵌合する係合部を設けたことにより、道具類を用いることなく両調整部材同士を簡単に且つ確実に連結することができる。
【００１３】
さらに、本発明の紐状部材の長さ調整具は、全体として円板形状を成すと共に、その円周部に、止着手段段からの紐状部材の導出部と挿通孔の開口部を設けたことにより、例えば、同一面内に複数の紐状部材と複数の長さ連結具を用いた場合に、紐状部材の角度が異なっていても、全ての長さ調整具が円形を呈する状態に統一させることができる。
【実施例】
【００１４】
以下、図面に基いて、本発明に係わる紐状部材の長さ調整具の一実施例を説明する。
【００１５】
図１及び図２に示す長さ調整具Ａは、物品であるボードＢを吊り下げる紐（紐状部材）Ｓに適用したものであって、半円形状の第１及び第２の調整部材１，２を互いに回動可能に連結して、全体として円板形状を成すものとなっている。
【００１６】
第１調整部材１は、図３及び図４に示すように、半円形の弦部分の中央に、連結用凸部３を備えており、連結用凸部３に、当該調整部材１の厚さ方向に貫通した状態で紐Ｓの挿通孔４が形成してあると共に、連結用凸部３の先端に、互いに外向きの鉤状を成す一対の係合用片５，５が設けてある。
【００１７】
また、第１調整部材１は、弦部分の両側の端部に、僅かに突出した係止用凸部６と、弦部分の角を切り欠いた状態の回動規制用凹部７が夫々設けてある。このとき、両側の係止用凸部６は、夫々の端部の中央部に設けてあり、両側の回動規制用凹部７は、夫々の端部の片側で且つ互いに回転対称位置に設けてある。
【００１８】
さらに、この実施例では、第１調整部材１に、紐Ｓの一端部を固定する止着手段が設けてある。止着手段は、第１調整部材１に嵌着して同調整部材１との間で紐Ｓを挟持する止着部材８を備えている。
【００１９】
止着部材８は、図３に示すように、第１調整部材１の円弧の一部に対応する円弧及び弦を有する形状を成しており、弦の中央に、止着用凸部９を有すると共に、止着用凸部９の先端に、互いに外向きの鉤状を成す一対の止着用片１０，１０が設けてある。
【００２０】
これに対して、第１調整部材１には、円弧部分に開放された収容溝１１と、収容溝１１の底部中央から挿通孔４に至る連通孔１２が形成してあり、止着部材８を収容溝１１に嵌入すると共に、止着部材８の止着用凸部９を連通孔１２に嵌入し、この際、止着用片１０，１０を弾性変形させて連通孔１２の開口部１２ａに係止するようになっている。
【００２１】
他方、第２調整部材２は、図３及び図４に示すように、半円形の弦部分の中央に、第１調整部材１の連結用凸部３を軸回りに回動可能に装着する連結用凹部１３を備えており、連結用凹部１３の側面部に、紐Ｓの挿通孔１４が設けてある。挿通孔１４は、連結用凹部１３を通して当該調整部材２の弦部分と平行に形成してあり、当該調整部材２の円弧部分で両側が開放されている。
【００２２】
また、連結用凹部１３の底部には、開口部１５が形成してあり、開口部１５には、その全周にわたって、第１調整部材１の係合用片５，５が弾性変形を伴って係合する係合用爪１６が設けてある。ここで、上記の係合用片５，５と係合用爪１６は、互いに嵌合して第１及び第２の調整部材１，２の連結状態を維持する係合部を構成している。
【００２３】
さらに、第２調整部材２は、弦部分の両側の端部に、第１調整部材１の各係止用凸部６，６に対応する係止用凹部１７，１７と、第１調整部材１の各回動規制用凹部７，７に対応する回動規制用凸部１８，１８を備えている。
【００２４】
そして、第１及び第２の調整部材１，２は、第１調整部材１の連結用凸部３を第２調整部材２の連結用凹部１３に装着すると共に、第１調整部材１の係合用片５，５を第２調整部材２の係合用爪１６に係合することで互いに回動可能に連結され、この際、道具類を用いることなく簡単に且つ確実に連結することができ、回動位置に応じて、夫々の挿通孔４，１４が同方向となる連通状態と異方向となる非連通状態とに切り換わる。
【００２５】
すなわち、第１及び第２の調整部材１，２は、図５に示すように双方の弦部分がほぼ直角に交差する回動位置において、夫々の挿通孔４，１４が連通状態となり、図６に示すように双方の弦部分が一致する回動位置において、夫々の連通孔４，１４が約９０度ずれて非連通状態となる。
【００２６】
また、双方の弦部分が一致する回動位置では、第１調整部材１の係止用凸部６と第２調整部材２の係止用凹部１７とが係止状態となって、両調整部材１，２をその回動位置で保持すると共に、図７に示すように、第１調整部材１の回動規制用凹部７と第２調整部材２の回動規制用凸部１８とが当接して、それ以上の回動を規制する。
【００２７】
なお、係止用凸部６と係止用凹部１７との係止状態は、第１及び第２の調整部材１，２を捻るように回動させることで簡単に解除することができる。また、長さ調整具Ａは、組立状態において、第１調整部材１と止着部材８との間や、第１調整部材１の連結用凸部３と第２調整部材２の連結用凹部１３との間には、挿通した紐Ｓを挟持し得る分の隙間が形成されている。
【００２８】
上記構成を備えた長さ調整具Ａは、図１（ａ）に示すように、第１調整部材１の収容溝１１内に紐Ｓの一端部を配置し、止着部材８の止着用片１０，１０の間に紐Ｓが入り込むようにして、第１調整部材１に止着部材８を止着することにより、紐Ｓの一端部を固定する。したがって、道具類を何ら用いることなく紐Ｓの固定を簡単に行うことができる。
【００２９】
次に、長さ調整具Ａは、第１及び第２の調整部材１，２の弦部分をほぼ直角に交差させた状態、すなわち双方の挿通孔４，１４を連通状態にして、紐Ｓを両調整部材１，２に貫通させる。この際、この実施例では、ボードＢを吊り下げるので、図１（ｂ）に示すように、紐ＳをボードＢの一端側の穴Ｈ１に通してから両調整部材１，２に貫通させる。
【００３０】
これにより、紐Ｓは、その一端部側にループＬが形成され、ループＬから他端部までの長さを調整することができる。また、紐Ｓの長さ調整に前後して、紐Ｓの他端部をボードＢの他端側の穴Ｈ２に結びつけ、その後、図１（ｃ）に示すように、第１及び第２の調整部材１，２を互いの弦部分が一致するように回動させて、挿通孔４，１４を非連通状態にすることにより、第１及び第２の調整部材１，２との間で紐Ｓの挿通部分を挟持して拘束する。
【００３１】
そして、上記の長さ連結具Ａを備えた紐Ｓは、図２に示すように、壁などの構造体に設けたフックＣに掛けることで、ボードＢを吊り下げた状態にする。このとき、長さ調整具Ａは、その円周部に、止着部材（止着手段）８からの紐Ｓの導出部と、第２調整部材２からの紐Ｓの導出部である挿通孔１４の開口部が位置している。これにより、構造体に沿って円形を呈する姿勢となり、同一面内に複数の紐Ｓと複数の長さ連結具Ａを用いた場合、紐Ｓの取り付け角度が異なっていても、全ての向きを統一させることができる。
【００３２】
以上のように、上記の長さ調整具Ａは、第１及び第２の調整部材１，２を互いに回動させるだけで紐Ｓを挿通自在にしたり拘束したりして、ループＬから他端部までの長さを簡単に調整することができ、また、紐ＳでボードＢ等の物品を吊り下げる際には、紐Ｓを結び付ける手間が少なく、長さ調整から吊り下げまでに至る作業を容易にすることができ、さらに、紐Ｓの長さの再調整や再利用にも容易に対処することができる。
【００３３】
しかも、上記の長さ調整具Ａは、挿通孔４を有する連結用凸部３を備えた第１調整部材１と、挿通孔１４を有する連結用凹部１３を備えた第２調整部材２を採用しているので、貫通状態にした紐Ｓを両調整部材１，２間の２箇所で挟持して、紐Ｓの強固な拘束状態を得ることができ、ボードＢの吊り下げにも充分に耐え得るものとなる。
【００３４】
なお、本発明に係わる紐状部材の長さ調整具は、構成の細部が上記実施例に限定されることはなく、本発明の要旨を逸脱しない範囲で構成を適宜変更することが可能であり、例えば、止着手段（止着部材８）を第２調整部材２に設けたり、紐状部材として釣糸などを使用したりすることができる。
【００３５】
また、図２に示すようなボードＢの吊り下げに適用する場合、紐Ｓの両端側に長さ調整具Ａを設けることもでき、この場合には、紐Ｓを結ぶ作業が一切不要になり、長さ調整から吊り下げに至るまでの作業をより簡単にすることができる。
【００３６】
さらに、当該長さ調整具は、ボードや商品サンプルといった比較的軽量な物品を吊り下げるＰＯＰ製品に好適であるが、その他の紐状部材にも適用することができ、例えば釣具として用いることも可能である。
【図面の簡単な説明】
【００３７】
【図１】本発明に係わる紐状部材の長さ調整具の一実施例を説明する図であって、紐の一端部の固定要領を説明する斜視図（ａ）、紐を挿通した状態を示す斜視図（ｂ）及び紐を拘束した状態を示す斜視図（ｃ）である。
【図２】紐及び長さ調整具でボードを吊り下げた状態を示す斜視図である。
【図３】長さ調整具を分解状態にして示す正面断面図である。
【図４】長さ調整具を分解状態にして示す一部破断の側面図である。
【図５】両調整部材の挿通孔が連通している状態を示す断面図である。
【図６】両調整部材の挿通孔が非連通である状態を示す断面図である。
【図７】図６に示す状態の長さ調整具の側面図である。
【符号の説明】
【００３８】
Ａ    長さ調整具
Ｓ    紐（紐状部材）
１    第１調整部材
２    第２調整部材
３    連結用凸部
８    止着部材（止着手段）
４    第１調整部材の挿通孔
５    係合用片（係合部）
１３  連結用凹部
１４  第２調整部材の挿通孔
１６  係合用爪（係合部）
【図１】
2007097792.tif 000003
【図２】
2007097792.tif 000004
【図３】
2007097792.tif 000005
【図４】
2007097792.tif 000006
【図５】
2007097792.tif 000007
【図６】
2007097792.tif 000008
【図７】
2007097792.tif 000009